(57)【要約】【課題】文字および絵図が長時間固定表示された後に発生する焼き付きによる残像を防止する。【解決手段】表示領域を備えるＰＤＰであって、アンテナから受信された映像信号を受信する映像信号検出部と、映像信号に含まれる映像が所定時間静止しているか否かを検出する静止画点灯時間検出部と、静止画点灯時間検出部で検出された場合、表示領域において全面白色に点灯される表示パターン信号と残像防止表示パターン信号とを発生させる信号を出力する表示処理制御部と、表示処理制御部から入力された表示パターン信号と残像防止表示パターン信号により表示領域に全面白色に点灯される表示パターンと残像防止表示パターンを表示させる表示領域出力部とを備え全面白色に点灯される表示パターンは背景として表示領域全体に低階調の白色が表示されると共に残像防止パターンが表示領域の所定の位置からより周辺のセルへ順次スクロールして点灯されることを特徴とする。【選択図】図１
2013073026.tif 000002
【特許請求の範囲】
【請求項１】
表示領域を備えるプラズマディスプレイパネルであって、
アンテナから受信された映像信号を受信する映像信号検出部と、
前記映像信号に含まれる映像が所定時間静止しているか否かを検出する静止画点灯時間検出部と、
前記静止画点灯時間検出部で検出された場合、前記表示領域において全面白色に点灯される表示パターン信号と残像防止表示パターン信号とを発生させる信号を出力する表示処理制御部と、
前記表示処理制御部から入力された前記表示パターン信号と残像防止表示パターン信号により前記表示領域に全面白色に点灯される表示パターンと残像防止表示パターンを表示させる表示領域出力部とを備え、
前記全面白色に点灯される表示パターンは背景として表示領域全体に低階調の白色が表示されるとともに、前記残像防止パターンが表示領域の所定の位置からより周辺のセルへ順次スクロールして点灯されることを特徴とするプラズマディスプレイパネル。
【請求項２】
前記残像防止パターンは、前記表示領域において所定時間静止して表示された固定表示部を除く領域を背景として低階調の白色が表示され、前記表示領域において所定時間静止して表示された前記固定表示部の周辺部のセルから前記表示領域におけるより周辺部のセルへ順次スクロールして点灯することを特徴とする請求項１に記載のプラズマディスプレイパネル。
【発明の詳細な説明】
【技術分野】
【０００１】
本発明は、プラズマディスプレイパネル（以下、ＰＤＰという）を表示デバイスとして用いたプラズマディスプレイ装置（以下、ＰＤＰ装置という）に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のＰＤＰ構造は、少なくとも前面側が透明な一対の基板を基板間に放電空間が形成されるように対向配置するとともに、放電空間を複数に仕切るための隔壁を基板に配置し、かつ隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなＰＤＰ装置においては、静止画若しくは画面の大部分が静止している映像を長時間表示する際に、画面をある一定時間固定すると、焼き付きが発生する。その焼き付きが発生すると、次の画面を映し出す時に前の焼き付いた画面が残像として残ってしまう。また、放電開始電圧が局所的に変化し、安定した画像表示が困難となる。そこで、それを解消するために、その映像の静止画を検知して、画像表示が上方向、又は下方向にスクロールするような技術が検討されている（特許文献１を参照）。
【先行技術文献】
【特許文献】
【０００６】
【特許文献１】特開２００７−２２８４７４号公報
【発明の概要】
【発明が解決しようとする課題】
【０００７】
しかし、表示性能が局所的に劣化することを防ぐような上方向、又は下方向にスクロールするパターンでは、長時間の静止画によって焼き付いた領域を解消するのに時間がかかり、迅速な画面切り換え時の表示品質に問題があった。
【０００８】
本発明はこのような現状に鑑みなされたもので、静止画によって焼き付いた文字や絵図を短期間で解消することを目的とする。
【課題を解決するための手段】
【０００９】
この課題を解決するために本発明は、表示領域を備えるＰＤＰであって、表示領域において表示された文字および絵図が一定時間固定されたことを検知する静止画点灯時間検出部と、前記検出部からの信号を受けて残像防止パターン信号の発生信号を出力する制御部とを備え、前記制御部は、前記静止画点灯時間検出部から出力された信号を受けた場合、表示領域に残像防止パターンを発生させる信号を出力する信号発生部を備え、前記残像防止パターンは、全面白表示パターンを備え、前記表示領域のある領域から表示領域の周辺部に拡大する全面スクロールパターンであることを特徴とする。
【発明の効果】
【００１０】
本発明によれば、表示領域において表示された文字および絵図が一定時間固定された静止画による文字や絵図の焼き付きを短期間で解消するようなＰＤＰ装置を提供することができる。
【図面の簡単な説明】
【００１１】
【図１】本発明の一実施の形態によるプラズマディスプレイ装置に用いるパネルの要部を示す斜視図
【図２】本発明の一実施の形態によるＰＤＰ装置の電極配列図
【図３】本発明の一実施の形態によるＰＤＰ装置の回路ブロック図
【図４】本発明の一実施の形態によるＰＤＰ装置の各電極に印加する駆動電圧波形を示す図
【図５】（ａ）本発明の一実施の形態によるＰＤＰに絵図が表示されていることを表した図、（ｂ）本発明の一実施の形態によるＰＤＰに残像防止表示パターンがスクロールされていることを示す図、（ｃ）本発明の一実施の形態によるＰＤＰに他の残像防止表示パターンがスクロールされていることを示す図
【図６】（ａ）本発明の一実施の形態によるＰＤＰ装置の各制御部を表した図、（ｂ）本発明の一実施の形態によるＰＤＰ装置の各制御部の動作を表した図
【図７】（ａ）本発明の一実施の形態によるＰＤＰ装置における残像防止表示パターン点灯時間に対する放電開始電圧差を示す図、（ｂ）本発明の一実施の形態によるＰＤＰ装置における放電開始電圧差に対する輝度差を示す図
【図８】本発明の第２実施の形態によるＰＤＰ装置の点灯率に対する維持電力と維持周波数を示す図
【図９】本発明の第２実施の形態によるＰＤＰ装置の維持周波数に対する放電開始電圧差を示す図
【図１０】本発明の第３実施の形態によるＰＤＰ装置の長時間固定表示部のみ黒表示に変換した場合の残像防止表示パターンを示す図
【図１１】本発明の第３実施の形態による装置の長時間固定表示部のみ黒表示に変換した残像防止表示パターンの制御方法を示す図
【発明を実施するための形態】
【００１２】
＜第１実施形態＞
以下、本発明の第１実施形態によるＰＤＰ装置について、図１〜図６を用いて説明する。しかし、本発明の実施の態様はこれに限定されるものではない。
【００１３】
１、プラズマディスプレイパネル（ＰＤＰ）
まず、ＰＤＰ装置におけるパネルの構造について図１を用いて説明する。
【００１４】
図１は、本発明の第１実施形態によるＰＤＰ装置に用いるパネルの要部を示す図である。図１に示すように、ＰＤＰは、ガラス製の前面基板１と背面基板２とを、その間に放電空間を形成するように対向配置することにより構成されている。前面基板１上には表示電極を構成する走査電極３と維持電極４とが間に放電ギャップＧを設けて互いに平行に対をなして複数形成されている。そして、走査電極３および維持電極４を覆うようにガラス材料からなる誘電体層５が形成され、その誘電体層５上にはＭｇＯからなる保護層６が形成されている。走査電極３および維持電極４は、ＩＴＯなどの透明電極３ａ、４ａと、この透明電極に重ねて形成したＡｇからなるバス電極３ｂ、４ｂとから構成されている。
【００１５】
また、背面基板２上には、ガラス材料からなる絶縁体層７で覆われたストライプ状に配列したＡｇからなる複数のデータ電極８が設けられ、その絶縁体層７上には、前面基板１と背面基板２との間の放電空間Ｓを放電セル毎に区切るための井桁状のガラス材料からなる隔壁９が設けられている。また、絶縁体層７の表面および隔壁９の側面に赤色１０Ｒ、緑色１０Ｇ、青色１０Ｂの蛍光体層が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、ＰＤＰ１１の構造は上述したものに限られるわけではなく、例えばストライプ状の隔壁９を備えたものであってもよい。
【００１６】
次に、ＰＤＰ１１の電極について説明する。図２はこのＰＤＰ１１の電極配列図である。図２に示すように、ＰＤＰ１１の表示領域には、行方向にｎ本の走査電極ＳＣ１〜ＳＣｎ（図１の走査電極）およびｎ本の維持電極ＳＵ１〜ＳＵｎ（図１の維持電極）が、維持電極ＳＵ１−走査電極ＳＣ１−走査電極ＳＣ２−維持電極ＳＵ２・・・・の配列となるように形成され、列方向にｍ本のデータ電極Ｄ１〜Ｄｍ（図１のデータ電極）が走査電極ＳＣ１〜ＳＣｎおよびｎ本の維持電極ＳＵ１〜ＳＵｎと交差する配列となるように形成されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルＳが形成され、放電セルＳは放電空間内にｍ×ｎ個形成されている。また、ＰＤＰ１１の表示領域の周囲には、非表示領域が設けられ、その非表示領域には、複数本（図示のものは、片側に２本）のダミー電極２４が形成されている。
【００１７】
次に、ＰＤＰ装置の回路ブロックについて説明する。図３はこのＰＤＰ１１を用いたＰＤＰ装置の回路ブロック図である。図３に示すように、このＰＤＰ装置は、ＰＤＰ１１、画像信号処理回路１２、データ電極駆動回路１３、走査電極駆動回路１４、維持電極駆動回路１５、タイミング発生回路１６および電源回路（図示せず）を備えている。また、データ電極駆動回路１３は、図２に示すように、ＰＤＰ１１のデータ電極８の一端に接続され、かつデータ電極８に電圧を供給するための半導体素子からなる複数のデータドライバを有している。データ電極８は、数本ずつのデータ電極で１ブロックとして複数のブロックに分割し、そのブロック単位で複数のデータドライバをＰＤＰ１１の下端部の電極引出部に接続して配置している。
【００１８】
図３において、画像信号処理回路１２は、画像信号ｓｉｇをサブフィールド毎の画像データに変換する。データ電極駆動回路１３はサブフィールド毎の画像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。走査電極駆動回路１４はタイミング信号にもとづいて走査電極ＳＣ１〜ＳＣｎに駆動電圧波形を供給し、維持電極駆動回路１５はタイミング信号にもとづいて維持電極ＳＵ１〜ＳＵｎに駆動電圧波形を供給する。ここで、走査電極駆動回路１４および維持電極駆動回路１５は、維持パルス発生部１７を備えている。
【００１９】
２、ＰＤＰ１１の駆動について
次に、ＰＤＰ１１を駆動するための駆動電圧波形とその動作について図４を用いて説明する。図４はＰＤＰ１１の各電極に印加する駆動電圧波形を示す図である。本実施の形態によるＰＤＰ装置においては、１フィールドを複数のサブフィールドに分割し、それぞれのサブフィールドは初期化期間、書込み期間、維持期間を有している。
【００２０】
２−１、初期化期間
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルＳにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２１】
２−２、書込み期間
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルＳのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に表示すべき放電セルＳで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルＳに至るまで順次行い、書込み期間が終了する。
【００２２】
２−３、維持期間
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２３】
２−４、第２サブフィールド以降
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。続くサブフィールドにおける初期化期間、書込み期間、維持期間の動作も第１サブフィールドにおける動作とほぼ同様のため、説明を省略する。
【００２４】
３、ＰＤＰの製造方法
３−１、前面板の製造方法
フォトリソグラフィ法によって、前面基板上に、走査電極３および維持電極４が形成される。走査電極３は、インジウム錫酸化物（ＩＴＯ）などの透明電極３ａ、４ａと、透明電極３ａ、４ａに積層された銀（Ａｇ）などからなるバス電極３ｂ、４ｂとから構成されている。維持電極４は、ＩＴＯなどの透明電極と、透明電極３ａ、４ａに積層されたＡｇなどからなるバス電極３ｂ、４ｂとから構成されている。
【００２５】
バス電極３ｂ、４ｂの材料には、銀（Ａｇ）と銀を結着させるためのガラスフリットと感光性樹脂と溶剤などを含む電極ペーストが用いられる。まず、スクリーン印刷法などによって、電極ペーストが、透明電極が形成された前面基板１に塗布される。次に、乾燥炉によって、電極ペースト中の溶剤が除去される。次に、所定のパターンのフォトマスクを介して、電極ペーストが露光される。
【００２６】
次に、電極ペーストが現像され、バス電極パターンが形成される。最後に、焼成炉によって、バス電極パターンが所定の温度で焼成される。つまり、電極パターン中の感光性樹脂が除去される。また、電極パターン中のガラスフリットが溶融する。その後、室温まで冷却することにより、溶融していたガラスフリットが、ガラス化する。以上の工程によって、バス電極３ｂ、４ｂが形成される。
【００２７】
ここで、電極ペーストをスクリーン印刷する方法以外にも、スパッタ法、蒸着法などを用いることができる。
【００２８】
次に、誘電体層５が形成される。誘電体層５の材料には、誘電体ガラスフリットと樹脂と溶剤などを含む誘電体ペーストが用いられる。まずダイコート法などによって、誘電体ペーストが所定の厚みで走査電極３、維持電極４を覆うように前面基板１上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層５が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層５となる膜を形成することもできる。
【００２９】
次に、誘電体層５上に保護層６が形成される。
【００３０】
以上の工程により前面基板１上に走査電極３、維持電極４、誘電体層５および保護層６を有する前面板が完成する。
【００３１】
３−２、背面板の製造方法
フォトリソグラフィ法によって、背面基板２上に、データ電極８が形成される。データ電極８の材料には、導電性を確保するための銀（Ａｇ）と銀を結着させるためのガラスフリットと感光性樹脂と溶剤などを含むデータ電極ペーストが用いられる。まず、スクリーン印刷法などによって、データ電極ペーストが所定の厚みで背面基板２上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極８が形成される。ここで、データ電極ペーストをスクリーン印刷する方法以外にも、スパッタ法、蒸着法などを用いることができる。
【００３２】
次に、絶縁体層７が形成される。絶縁体層７の材料には、絶縁体ガラスフリットと樹脂と溶剤などを含む絶縁体ペーストが用いられる。まず、スクリーン印刷法などによって、絶縁体ペーストが所定の厚みでデータ電極８が形成された背面基板２上にデータ電極８を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融するその後、室温まで冷却することにより、溶融していた絶縁体ガラスフリットが、ガラス化する。以上の工程によって、絶縁体層７が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層７となる膜を形成することもできる。
【００３３】
次に、フォトリソグラフィ法によって、隔壁９が形成される。隔壁９の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層７上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁９が形成される。ここで、フォトリソグラフィ法以外にも、サンドブラスト法などを用いることができる。
【００３４】
次に、蛍光体層１０が形成される。蛍光体層１０の材料には、蛍光体粒子とバインダと溶剤などとを含む蛍光体ペーストが用いられる。まず、ディスペンス法などによって、蛍光体ペーストが所定の厚みで隣接する複数の隔壁間の絶縁体層７上および隔壁９の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１０が形成される。ここで、ディスペンス法以外にも、スクリーン印刷法などを用いることができる。
【００３５】
以上の工程により、背面基板２上に、データ電極８、絶縁体層７、隔壁９および蛍光体層１０を有する背面板が完成する。
【００３６】
３−３、前面板と背面板との組立方法
まず、ディスペンス法などによって、背面板の周囲に封着ペーストが塗布される。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極とデータ電極８とが直交するように、前面板と背面板とが対向配置される。
【００３７】
さらに、前面板と背面板の周縁部が、クリップなどにより押圧した状態で保持される。この状態で、所定の温度で焼成することにより、低融点ガラス材料が溶融する。その後、室温まで冷却することにより、溶融していた低融点ガラス材料がガラス化する。これにより、前面板と背面板とが気密封着される。最後に、放電空間にＮｅ、Ｘｅなどを含む放電ガスが封入されることによりＰＤＰ１１が完成する。
【００３８】
４、残像防止表示パターン
次に、本発明の第１実施の形態であるＰＤＰの表示パターンについて説明する。
【００３９】
走査電極ＳＣ１〜ＳＣｎと維持電極ＳＵ１〜ＳＵｎとに交互に輝度重みに応じた数の維持パルスを印加することにより、書込み期間において書込み放電を起こした放電セルＳで維持放電が継続して行われる。このとき発生した紫外線により維持放電が発生した放電セルＳにおいて、蛍光体層１０が発光する。その結果、発光された領域において表示画面に文字や絵図などの固定表示部１８が表示される。ここで、固定表示部１８を表示する際、表示画面で短時間の間に移動する固定表示部１８を動画と言い、一定時間の間固定して表示される固定表示部１８を静止画と言う。したがって、静止画を表示する場合、維持期間において維持放電するための書き込み放電が一定期間、同じ放電セルＳで発生する。
【００４０】
本実施の形態では、静止画として画面左上に時計表示の「８：００」が固定表示されている。この「８：００」が一定時間、固定表示された後、表示画面全体（以後、全面と言う）に階調の比較的高い同じ明るさの色で表示を出したときに、静止画「８：００」が表示された領域において焼き付きが視認される。それは、静止画「８：００」が表示された領域とその周辺領域との間で、輝度差（ΔＬ）が発生するためである。輝度差（ΔＬ）が発生する原因として、一定時間固定表示された領域の放電開始電圧（Ｖｆ）が上昇し、周辺領域との放電開始電圧の差（ΔＶｆ）が大きくなることが考えられている。
【００４１】
この輝度差は、ＰＤＰ１１の表示領域において表示された「８：００」が一定時間固定された後、全面同色の白、赤、緑若しくは青の表示パターンを表示した場合に、固定表示部１８とその周辺部で容易に視認される程に目立つ。
【００４２】
そこで、本実施の形態では、表示領域を備えるＰＤＰであって、表示領域において表示された文字および絵図が一定時間固定されたことを検知する静止画点灯時間検出部と、前記検出部からの信号を受けて残像防止パターン信号の発生信号を出力する制御部とを備え、前記制御部は、前記静止画点灯時間検出部から出力された信号を受けた場合、表示領域に残像防止パターンを発生させる信号を出力する信号発生部を備え、前記残像防止パターンは、全面白表示パターンを備え、前記表示領域のある領域から表示領域の周辺部に拡大する全面スクロールパターンであることを特徴とする。
【００４３】
これにより、焼き付きによる輝度差を短時間で低減することができる。
【００４４】
以下、輝度差（ΔＬ）を低減する具体的な構成について説明する。
【００４５】
図５は、本発明の第１実施の形態による表示パターンを示す図である。例えば、図５（ａ）に示す図は、表示文字「８：００」がＰＤＰ１１の表示領域左上付近に焼き付いている様子を示す図である。この現象を具体的に説明する。ＰＤＰ１１の表示領域左上付近に表示文字「８：００」が一定時間の間、動かずに固定して点灯し続けた後、例えば表示領域において全面同色かつ同階調の表示に切り換えたとする。すると、固定点灯の間に「８：００」が表示されていた領域と「８：００」の周辺部とで輝度差（ΔＬ）が生じたため、表示文字「８：００」が表示されていた領域において焼き付きが視認される。
【００４６】
そこで、この焼き付きを防止するために、本実施の形態では図５（ｂ）や（ｃ）などの残像防止パターンを表示し、表示領域においてスクロールされる。図５（ｂ）は、ＰＤＰ１１の表示領域における中央部から表示領域の周辺部に広がるようなスクロールパターンを示している。この残像防止パターンは、まず背景として赤色（Ｒ）と青色（Ｂ）と緑色（Ｇ）とを同時点灯させた白色（Ｗ）で、かつ、低階調の明るさである表示画像を全面に点灯させる（以下、背景全白表示という）。低階調とは、１ＳＦにおける維持期間中に印加される維持パルス数の少ない階調であり、最大階調を２５５階調とした場合、低階調を０〜８５階調、中間階調を８６〜１７０階調、高階調を１７１〜２５５階調に区分すると、８５階調以下を示している。この背景全白表示を背景として、高階調の白色円状のパターンが表示されるように中央部の複数のセルが点灯される。白色円状とはＲＧＢ色を同時に点灯した領域が数セルで構成される円状の点灯領域である。円状とは、円又は楕円のような曲線で構成される形状等である。その白色円状領域が少しずつ表示領域の周辺部のセルに広がるように点灯するセルの位置が順次周辺部へずれていく（Ｒ１）。これと同時に、点灯していた中央部の複数のセルは、背景全白表示と同じ表示となるように印加される維持パルス数が制御され、中央部から周辺部へ広がるように円状領域が少しずつ表示領域の周辺部のセルに広がるように点灯するセルの位置が順次周辺部へずれていく（Ｒ２）。つまり、表示領域の同領域において、Ｓ１の制御の後にＳ２の制御が行われる。
【００４７】
その結果、この残像防止表示がスクロールされることにより、表示領域における左上領域で焼き付いた表示文字「８：００」をテレビ放送終了時又は、チャンネル切換時において焼き付きを解消することができる。
【００４８】
図５（ｃ）に示す図は、図５（ｂ）とは異なる残像防止パターンの例であり、表示の方法は同様である。図５（ｃ）に示すように、残像防止表示パターンは左右水平方向に中央からパネル周辺部へ広がるような残像防止表示パターンである。図５（ｂ）と同様に、背景として赤色（Ｒ）と青色（Ｂ）と緑色（Ｇ）とを同時点灯させた白色（Ｗ）であり、低階調の明るさである表示画像を全面に点灯させる。この背景全白表示が表示されると同時に、ＰＤＰ１１の表示領域において、中央部に白色縦帯となるように複数のセルを点灯させる。白色縦帯とはＲＧＢ色を同時に点灯した領域がＰＤＰ１１の短辺方向の複数の放電セルＳで構成される白色点灯領域である。その白色縦帯が少しずつ周辺部のセルに水平方向に広がるように点灯位置が順次ずれていく（Ｒ３）。これと同時に、これまで点灯していた中央部の複数の放電セル領域は、背景と同じ表示となるように印加される維持パルス数が制御され、中央部から周辺部へ広がるように点灯するセルの位置が順次周辺部へずれていく（Ｒ４）。つまり、表示領域の同領域において、Ｓ３の制御の後にＳ４の制御が行われる。
【００４９】
その結果、表示領域における左上領域で焼き付いた表示文字「８：００」をチャンネル表示切り替え時及びテレビ放送終了時において焼き付きを解消することができる。
【００５０】
５、残像防止表示パターンの制御
次に、残像防止パターンを制御させる制御部について、図６（ａ）、（ｂ）を用いて説明する。
【００５１】
図６（ａ）は、本実施形態における残像防止表示パターンを表示させるための制御方法を示す図である。まず初めに制御を行う各部位の説明を行う。
【００５２】
図６（ａ）に示すアンテナ線２５は、放送局から受信した映像信号３０をＰＤＰ１１に入力するための受信機である。制御部３８は映像信号検出部２６と静止画点灯時間検出部２７とを備える。映像信号検出部２６は、ＰＤＰ１１に入力する映像信号３０のうち、表示領域と信号情報を選択処理して、ＰＤＰ１１の表示領域出力部３５に出力する部位である。静止画点灯時間検出部２７は、文字や絵図がある所定時間の間、静止画として点灯した場合に静止画として検出する部位である。制御部３７は、表示処理制御部２８と残像防止パターン信号発生部３３とを備える。表示処理制御部２８とは、静止画点灯時間に応じて背景全白表示や残像防止表示のような特定の内部表示パターンを点灯する時間を決定するための部位である。残像防止パターン信号発生部３３とは、残像防止表示パターンを制御する部位である。残像防止パターン信号発生部３３は、一定時間静止画として点灯された表示領域における焼き付きを解消するための残像防止表示パターンを出力処理するための部位である。表示領域出力部３５は、ＰＤＰ１１の表示領域に実際に表示される背景全白表示および残像防止表示などの内部表示パターンを出力する部位である。
【００５３】
なお、チャンネル表示切り替え時及び映像信号が送られない場合、つまり映像ＯＮ／ＯＦＦ信号３９がＯＦＦの場合、背景を低階調の全面白色点灯に表示するとともに、ＰＤＰ１１の表示領域における中央から周辺に広がるような残像防止表示パターンが出力される。一方、映像ＯＮ／ＯＦＦ信号がＯＮの場合、背景全白表示および残像防止表示パターンは表示されない。
【００５４】
次に制御を行う各部位の信号の流れについて、図６（ｂ）を用いて説明する。アンテナ線２５から出力された映像信号３０がＰＤＰ１１の映像信号検出部２６に入力される。その映像信号３０が、静止画として検出されるか静止画でないと検知されるかは、静止画点灯時間検出部２７においてなされる。静止画点灯時間検出部２７は、表示領域における特定領域に文字および絵図を表示するために同じ放電セルＳで連続点灯する時間をカウントする。そのカウントした時間がある一定時間を過ぎると静止画として検出され、静止画点灯時間検出部２７から表示処理制御部２８に静止画検出信号２９が出力される。そして、その静止画検出信号２９は表示処理制御部２８へ入力され、静止画点灯時間に応じて内部表示パターンを点灯する時間が決定されるカウント処理が行われる。点灯する時間としてカウント処理された後、表示処理制御部２８から表示領域出力部３５に背景全白表示信号３１が出力される。一方、残像防止表示パターン信号３２は残像防止パターン信号発生部３３に出力する。表示処理制御部２８の記憶媒体に内蔵された表示パターンは、点灯表示位置、点灯表示エリア、点灯表示色、点灯表示セルの明るさ、点灯表示時間を１つの表示パターンとして内蔵している。その後、残像防止パターン信号発生部３３は、表示領域出力部３５へ所定の残像防止パターンを表示させるよう映像信号のＯＮ／ＯＦＦに応じて残像防止表示パターン信号３２を出力する。この残像防止表示パターン信号３２を表示領域出力部３５が受けた場合、表示領域出力部３５から背景全白表示パターンと残像防止パターンとがＰＤＰ１１の表示領域に表示される。
【００５５】
視覚的に焼き付きが見えるメカニズムの１つとして下記のことが考えられている。ＰＤＰ１１内に残留しているＨ2Ｏ、Ｈ2、Ｏ2、有機物等の不純ガスが固定表示部１８とその周辺部に偏って分布し、走査電極−維持電極間の放電開始電圧の差（ΔＶｆ）に差異が生じる影響のためである。その結果、固定表示部１８とその周辺部との間で輝度差が生じ、視覚的に焼き付いたように見える。
【００５６】
この現象を解消するため、表示領域において固定表示部１８とその周辺部に偏って分布しているＨ2Ｏ等の放電開始電圧（Ｖｆ）を変化させる不純ガスをＰＤＰ１１の表示領域外に移動させるような残像防止表示パターンが表示される。その結果、固定表示部１８とその周辺部の走査電極−維持電極間の放電開始電圧の差（ΔＶｆ）、すなわち輝度差（ΔＬ）が小さくなり、図７に示すように、短期間で焼き付きを解消することが可能となる。
【００５７】
６、放電開始電圧と輝度とに与える影響
図７（ａ）は、本発明の固定表示点灯時間と固定表示部１８とその周辺部の放電開始電圧の差（ΔＶｆ）との相関性を示す図である。横軸は、残像防止表示パターンが点灯する時間を示している。縦軸は、固定表示部１８とその周辺部の放電開始電圧の差（ΔＶｆ）を示している。○は、６４時間固定表示部１８を固定表示させた後、背景全面黒表示にしたときの放電開始電圧差ΔＶｆの結果である。●は、６４時間固定表示部１８を固定表示させた後、背景全面白表示にし、残像防止表示パターンをスクロールさせたときの放電開始電圧差ΔＶｆの結果である。△は、１６時間固定表示部１８を固定表示させた後、背景全面黒表示にしたときの放電開始電圧差ΔＶｆの結果である。▲は、１６時間固定表示部１８を固定表示させた後、背景全面白表示にし、残像防止表示パターンをスクロールさせたときの放電開始電圧差ΔＶｆの結果である。
【００５８】
○や△に示すように、背景全面黒表示の場合、不純ガスの移動が少ないため、本発明の実施の形態におけるΔＶｆにするには、約１時間がかかる。一方、ＰＤＰ１１における表示領域の中央部から周辺部に広がるような残像防止表示パターンを表示させると不純ガスの移動スピードが加速されることにより、固定表示部１８とその周辺部の走査電極−維持電極間の放電開始電圧の差が小さくなるスピードが速くなる。その結果、●や▲に示すように、約０．５時間で焼き付きが解消していることがわかる。
【００５９】
また、背景全面黒表示よりも背景全面白表示にした場合には、焼き付き周辺部の不純ガスを表示領域外に移動させるスピードは速くなる。すなわち、中央から周辺に広がるような残像防止表示パターンを表示させると不純ガスの移動が更に加速され、固定表示部１８とその周辺部の走査電極−維持電極間の放電開始電圧差が小さくなるスピードが更に速くなり、短期間で固定表示部１８とその周辺部の輝度差が小さくなって焼き付きが解消されることが可能となる。
【００６０】
図７（ｂ）は、固定表示部１８とその周辺部の輝度差（ΔＬ）と放電開始電圧差（ΔＶｆ）との相関性を示す図である。横軸は、固定表示部１８とその周辺部との放電開始電圧差（ΔＶｆ）を示し、縦軸は、固定表示部１８とその周辺部との輝度差（ΔＬ）を示している。●、▲、○、△については図７（ａ）と同様である。放電開始電圧の差（ΔＶｆ）が小さくなれば、輝度差（ΔＬ）がより小さい。したがって、輝度差（ΔＬ）と放電開始電圧差（ΔＶｆ）とは相関関係があり、放電開始電圧の差（ΔＶｆ）が小さくなれば、輝度差（ΔＬ）がより小さくなるため、焼き付きが視認しにくくなっていることを確認することができる。
【００６１】
＜第２実施形態＞
次に本発明の第２実施形態について説明する。第２実施形態におけるＰＤＰにおいて、第１実施形態におけるＰＤＰと異なる点についてのみ説明し、その他の説明は省略する。
【００６２】
第２実施形態は、第１実施形態の残像防止表示パターンにて、維持電力とともに維持周波数が最大となるように低階調の背景全白表示が表示され、高階調の白色スクロール表示パターンがスクロール表示されることにより、短時間で焼き付いた領域の放電開始電圧差ΔＶｆを小さくすることが可能となる。
【００６３】
４２インチＦＨＤパネルを例に維持周波数が最大となるような条件の表示パターンについて説明する。表示点灯率（％）に対する維持電力（Ｗ）と維持周波数（ｋＨｚ）との相関性を図８に示す。
【００６４】
横軸は点灯率（％）、左縦軸は維持電力（Ｗ）、右縦軸は維持周波数（ｋＨｚ）を示している。点灯率とは、表示領域における残像防止表示パターンが点灯表示されている割合である。点灯率が２０％を超えると、維持周波数（ｋＨｚ）がより小さくなる。ＰＤＰ１１の維持電力（Ｗ）が発光表示回数の増加に伴って増加するため、背景全白表示のように表示点灯率が大きくなるにつれ、定格電力を大きく超えてしまう。このことから、維持発光表示の電力を低下させて自動的に電力制御する機能（ＡＰＣ）が働き、電力を制御している。この時、低階調の背景全白表示の階調を高くしていくと、点灯率が２０％を超えた場合に自動電力制御（以下ＡＰＣと言う）が働いて、維持周波数が小さくなっていく。
【００６５】
図９は、維持周波数（ｋＨｚ）と２４時間固定表示焼き付き直後及び焼き付き防止表示としてのパターンを２時間点灯後の固定表示部１８とその周辺部との放電開始電圧差（ΔＶｆ）を示す図である。○は、維持周波数が９ｋＨｚのとき、すなわち、点灯率１００％の場合、固定表示部が２４時間固定表示された直後の放電開始電圧差を示している。●は、２４時間固定表示された後、高階調の背景全白表示を２時間表示した後の放電開始電圧差を示している。◇は、維持周波数が３９ｋＨｚのとき、すなわち、点灯率３０％の場合、固定表示部１８が２４時間固定表示された直後の放電開始電圧差を示している。◆は、２４時間固定表示された後、低階調の背景全白表示と残像防止表示パターンを２時間スクロール表示した後の放電開始電圧差を示している。△は、維持周波数が４２ｋＨｚのとき、すなわち、点灯率が１９％の場合、固定表示部１８が２４時間固定表示された直後の放電開始電圧差を示している。▲は、２４時間固定表示された後、背景全黒表示を表示すると共に固定表示部１８のみ高階調の白表示を２時間表示した後の放電開始電圧差を示している。
【００６６】
図９の◆に示すように、焼き付きが解消される残像防止表示パターンが２時間点灯した後では、他のパターンを表示させるよりも放電開始電圧差がより小さい。したがって、ＡＰＣが動作しない点灯率つまり維持周波数および維持電力が最大となるような低階調の全面白点灯表示パターンを背景に加え、パネル中央から周辺に広がるような残像防止表示パターンをスクロール表示させることにより、固定表示部１８とその周辺部との輝度差が小さくなり、短期間で焼き付きを解消することが可能となる。
【００６７】
＜第３実施形態＞
次に本発明の第３実施形態について説明する。第３実施形態におけるＰＤＰ１１において、第１実施形態におけるＰＤＰ１１と異なる点についてのみ説明し、その他の説明は省略する。
【００６８】
第３実施形態は、第１実施形態の長時間点灯していた固定表示部１８が焼き付いた時間をカウントし、固定表示部１８の表示領域における位置を記憶し、固定表示部１８以外の表示領域において残像防止パターンがスクロール表示されることにより、より短時間で焼き付いた領域の放電開始電圧差を小さくすることが可能となる。これは、固定表示で焼き付いた固定表示部１８は、放電開始電圧が上昇する一方、焼き付いた表示領域周辺部からスクロール表示パターンにより移動した放電開始電圧を下げるＨ2Ｏ分子等の不純ガスが焼き付いた領域へ移動するため、焼き付いた領域の放電開始電圧を下げることが可能となる。
【００６９】
図１０は、ＰＤＰ１１の表示領域において、長時間固定表示で点灯していた文字又は絵図を検出し、検出した領域のみ非点灯にし、それ以外の領域を低階調の背景全白表示にするとともに、中央から表示領域の周辺に広がるような残像防止表示パターンがスクロール表示されている。この残像防止表示パターンは、例えば表示領域における左上領域で焼き付いた表示文字「８：００」部を黒表示つまり０階調表示を出力し、焼き付いた表示文字「８：００」部以外において、低階調の背景全白表示となるように点灯させる。この背景全白表示を表示するとともに、高階調の白色円状のパターンが表示されるように中央部の複数のセルが点灯される。その白色円状領域が少しずつ表示領域の周辺部のセルに広がるように点灯するセルの位置が順次周辺部へずれていく（Ｒ１）。これと同時に、点灯していた中央部の複数のセルは、背景と同じ表示となるように印加される維持パルス数が制御され、中央部から周辺部へ広がるように円状領域が少しずつ表示領域の周辺部のセルに広がるように点灯するセルの位置が順次周辺部へずれていく（Ｒ２）。つまり、表示領域の同領域において、Ｓ１の制御の後にＳ２の制御が行われる。
【００７０】
この残像防止表示パターンにより、表示領域における左上領域で焼き付いた表示文字「８：００」をテレビ放送終了時又は、チャンネル切換時において焼き付きを解消することができる。
【００７１】
図１１は、長時間固定表示で点灯していた領域のみ黒表示に変換した残像防止表示パターンを表示させるための制御方法を示す図である。
【００７２】
アンテナ線２５から出力された映像信号３０がＰＤＰ１１の映像信号検出部２６に入力され、映像信号３０が静止画として特定領域において表示された文字および絵図が一定時間固定されたことを検知する静止画点灯時間検出部２７で静止画が固定表示で連続点灯する時間がカウントされる。そのカウントされた時間がある一定時間を過ぎると、静止画点灯時間検出部２７から静止画検出信号２９を表示位置制御部３４に出力する。表示位置制御部３４では、表示位置制御部３４に固定表示の位置などの情報を与える情報信号３６を出力し、固定表示部１８を黒表示に、すなわち、非点灯になるように固定表示部黒表示変換を行う。残像防止パターン信号発生部３３とは、残像防止表示パターンを制御する部位である。残像防止パターン信号発生部３３は、一定時間静止画として点灯された表示領域における焼き付きを解消するための残像防止表示パターンを出力処理するための部位である。また、チャンネル表示切り替え時及び映像信号が送られない場合、つまり映像ＯＮ／ＯＦＦ信号３９がＯＦＦの場合、背景を低階調の全面白色点灯に表示するとともに、ＰＤＰ１１の表示領域における中央から周辺に広がるような残像防止表示パターンが出力される。一方、映像ＯＮ／ＯＦＦ信号３９がＯＮの場合、背景全白表示および残像防止表示パターンは表示されない。
【００７３】
長時間点灯していた文字や絵図等の固定表示部１８は、放電開始電圧を下げるＨ2Ｏ等の不純ガスが除去されるため、固定表示部１８の周辺よりも放電開始電圧（Ｖｆ）が上昇してしまう。一方、固定表示部１８の周辺は、放電開始電圧を下げるＨ2Ｏ等の不純ガスが大量に付着するため、固定表示部１８の周辺よりも放電開始電圧が低下してしまう。その結果、固定表示部１８とその周辺部に放電開始電圧差が生じてしまう。その電圧差を解消するために、残像防止表示パターンとして固定表示部１８に黒表示を表示し、固定表示部１８にその周辺部からの放電開始電圧が低下するＨ2Ｏ等の不純物を流し込み、固定表示部１８の周辺に付着した大量のＨ2Ｏ等の不純ガスを除去することにより、焼き付いた後の固定表示部１８とその周辺部との放電開始電圧差（ΔＶｆ）が小さくなっていくスピードが加速され、短期間で固定表示部１８とその周辺部との輝度差（ΔＬ）を小さくすることが可能となる。
【００７４】
また、視覚的に焼き付きが見えるもう一つのメカニズムとして、蛍光体の劣化及び蛍光体表面への不純物の付着により輝度差が発生する場合がある。この場合には、固定表示部１８の輝度が低下してしまっているため、実施の形態３のように固定表示部１８の輝度低下を防止し、固定表示部１８の周辺の輝度低下を促進することにより、残像が目視で観察されにくくなることが可能となる。
【産業上の利用可能性】
【００７５】
以上のように本発明は、残像の発生しない画像品質に優れた高性能のプラズマディスプレイ装置を提供する上で有用な発明である。
【符号の説明】
【００７６】
１  前面基板
２  背面基板
３  走査電極
４  維持電極
５  誘電体層
６  保護層
７  絶縁体層
８  データ電極
９  隔壁
１０Ｒ、１０Ｇ、１０Ｂ  蛍光体層
１１  プラズマディスプレイパネル
１２  画像信号処理回路
１３  データ電極駆動回路
１４  走査電極駆動回路
１５  維持電極駆動回路
１６  タイミング発生回路
１８  固定表示部
２４  ダミー電極
Ｓ  放電空間
２５  アンテナ線
２６  映像信号検出部
２７  静止画点灯時間検出部
２８  表示処理制御部
２９  静止画点灯時間検出部出力信号
３０  映像信号
３１  背景全白表示信号
３２  残像防止表示パターン信号
３３  残像防止パターン信号発生部
３４  表示位置制御部
３５  表示領域出力部
３６  情報信号
３９  映像ＯＮ／ＯＦＦ信号
【図１】
2013073026.tif 000003
【図２】
2013073026.tif 000004
【図３】
2013073026.tif 000005
【図４】
2013073026.tif 000006
【図６】
2013073026.tif 000007
【図７】
2013073026.tif 000008
【図８】
2013073026.tif 000009
【図９】
2013073026.tif 000010
【図１１】
2013073026.tif 000011
【図５】
2013073026.tif 000012
【図１０】
2013073026.tif 000013